(57)【特許請求の範囲】
【請求項１】
画面内複数のポイントに存在する被写体の何れかにピント合わせを行うピント合わせ手段と、
被写体の像データを形成する撮像手段と、
撮影前に、上記撮像手段が出力する画像を表示する第１の表示手段と、上記複数のポイントのうち、上記ピント合わせに利用されたエリア近傍の画像を表示する第２の表示手段と、上記複数のポイントのうち、上記ピント合わせに利用されない少なくとも１つのエリア近傍の画像を表示する第２のサブ画面と、を有する表示装置と、
を具備することを特徴とするカメラ。
【請求項２】
更に、上記ピント合わせの確認を行うピント確認用スイッチと、該ピント確認用スイッチの操作時に於いて、上記第１の表示手段に上記第２表示手段に表示した画像を表示する表示切換手段と、を具備することを特徴とする請求項１に記載のカメラ。
【請求項３】
撮影画面内の複数のポイントを測距する測距手段と、撮影レンズを介して上記撮影画面の画像を形成してデジタル的に表示するための撮像手段と、この撮像手段で形成された画像を表示する表示手段と、上記測距手段の出力と上記撮像手段の出力に基いて上記撮影レンズの一部を制御して被写体にピントを合わせるピント合わせ手段と、を備えるカメラに於いて、
撮影前に、上記表示手段上に、上記測距手段の出力によってピント合わせ用に選択されたポイントに相当するデジタル画像を表示させると共に、ピント合わせ用に選択されない少なくとも１つのポイントに相当するデジタル画像を表示させる制御手段を具備することを特徴とするカメラ。
【請求項４】
上記制御手段は、上記デジタル画像の表示後の撮影操作によって上記撮像手段の出力が最も適正となる位置に上記撮影レンズを駆動制御することを特徴とする請求項３に記載のカメラ。
【発明の詳細な説明】
【０００１】
【発明の属する技術分野】
この発明は、撮影画像が液晶（ＣＣＤ）等の画面によって確認可能なデジタル画像モニタ付きのカメラの改良に関するものである。
【０００２】
【従来の技術】
近年、デジタルカメラの普及が進んでいるが、特にピント合わせに関しては、ユーザが意図したとおりのピントの写真を得ることが困難であり、更なる改良を必要としていた。
【０００３】
こうしたオートフォーカス（ＡＦ）の結果を確認する技術としては、特開平１０−４８７３３号公報に記載されているように、ＡＦ結果を表示する技術が知られている。また、ピント合わせ部をファインダ画面にスーパーインポーズ表示する技術も知られている。
【０００４】
従来、図８（ａ）に示されるように、画面１内に種々の空間周波数や距離の被写体が混在するシーンでは、主被写体とは異なる雑被写体にピントが合ってしまうことがあった。被写体の合焦状態は、カメラ内蔵の小型モニタでは判定することができず、撮影終了後のプリントアウトや大型モニタで確認して、初めてわかることが多いものであった。
【０００５】
すなわち、図８（ｂ）に示されるように、シーン２に於いて、周囲の雑被写体３ははっきりピントが合っていても、肝心の人物４にピントが合っていない状態である。
【０００６】
【発明が解決しようとする課題】
しかし、上述したような改良では、撮影者がピントの具合を確認するには十分ではないものであった。したがって、より直接的に画面内の何処にピントが合っているかを表示する技術が求められている。
【０００７】
また、画面内にスーパーインポーズ表示すると、画面が見えにくくなるうえ、実際には撮影されない枠等が画面内に表示されて、ユーザの混乱を招く可能性がある等、課題を有していた。
【０００８】
この発明は上記実状に鑑みてなされたものであり、撮影者が想定している被写体に正しくピントが合っているかを容易に確認することのできるカメラを提供することを目的とする。
【０００９】
すなわちこの発明は、画面内複数のポイントに存在する被写体の何れかにピント合わせを行うピント合わせ手段と、被写体の像データを形成する撮像手段と、撮影前に、上記撮像手段が出力する画像を表示する第１の表示手段と、上記複数のポイントのうち、上記ピント合わせに利用されたエリア近傍の画像を表示する第２の表示手段と、上記複数のポイントのうち、上記ピント合わせに利用されない少なくとも１つのエリア近傍の画像を表示する第２のサブ画面と、を有する表示装置と、を具備することを特徴とする。
【００１０】
またこの発明は、撮影画面内の複数のポイントを測距する測距手段と、撮影レンズを介して上記撮影画面の画像を形成してデジタル的に表示するための撮像手段と、この撮像手段で形成された画像を表示する表示手段と、上記測距手段の出力と上記撮像手段の出力に基いて上記撮影レンズの一部を制御して被写体にピントを合わせるピント合わせ手段と、を備えるカメラに於いて、撮影前に、上記表示手段上に、上記測距手段の出力によってピント合わせ用に選択されたポイントに相当するデジタル画像を表示させると共に、ピント合わせ用に選択されない少なくとも１つのポイントに相当するデジタル画像を表示させる制御手段を具備することを特徴とする。
【００１１】
この発明のカメラにあっては、画面内の複数のポイントに存在する被写体の何れかが、ピント合わせ手段によってピント合わせが行われる。また、撮像手段によって、被写体の像データが形成される。そして、第１の表示手段と第２の表示手段と第２のサブ画面を有する表示装置のうち、撮影前に、上記撮像手段が出力する画像が第１の表示手段に表示され、上記複数のポイントのうち、上記ピント合わせに利用されたエリア近傍の画像が第２の表示手段に表示される。更に、上記複数のポイントのうち、上記ピント合わせに利用されない少なくとも１つのエリア近傍の画像が第２のサブ画面に表示される。
【００１２】
また、この発明のカメラにあっては、測距手段によって撮影画面内の複数のポイントが測距され、撮影レンズを介して上記撮影画面の画像が撮像手段で形成されてデジタル的に表示され、この形成された画像が表示手段で表示される。更に、上記測距手段の出力と上記撮像手段の出力に基いて、上記撮影レンズの一部がピント合わせ手段によって制御されて被写体にピントが合わせられる。そして、撮影前に、上記表示手段上に、上記測距手段の出力によってピント合わせ用に選択されたポイントに相当するデジタル画像が、制御手段によって表示される。それと共に、ピント合わせ用に選択されない少なくとも１つのポイントに相当するデジタル画像が、制御手段によって表示される。
【００１３】
【発明の実施の形態】
以下、図面を参照して、この発明の実施の形態について説明する。
【００１４】
図１は、この発明の第１の実施の形態に係るカメラの内部の電気的構成を示すブロック図である。
【００１５】
図１に於いて、１０はこのカメラで撮影されるシーン若しくは画面範囲を示している。このシーン１０のように、主被写体の人物１１ａは小さく、画面の大部分を占めるものがより遠距離の風景であり、尚かつ、木１１ｂや山等が混在し、空間周波数が低いものや高いものが混在していると、カメラは、主被写体１１ａ以外のものに、誤ってピント合わせをしてしまうことが多かった。
【００１６】
被写体からの撮影光束は、撮影レンズ１５を介して像信号を形成する撮像素子１６に導かれる。そして、この撮像素子１６にてその像データが画像処理されて、画像処理回路１７及びメモリ１８に画像情報が供給されると共に、ピント判定部１９を介してＣＰＵ２０に供給される。
【００１７】
このＣＰＵ２０は、ワンチップマイクロコンピュータ等から構成される演算制御手段である。そして、このＣＰＵ２０には、上記撮影レンズ１５を駆動するためのレンズドライバ（ＬＤ）２３と、ＬＣＤドライバ２４を介して撮影画像の表示手段であるＬＣＤ画面２５が接続されると共に、補助光としてのストロボ発光部２６と、レリーズスイッチ２７及び画像表示モード切換スイッチ２８が接続されている。
【００１８】
このような構成に於いて、撮影レンズ１５を介して撮像素子１６にて像信号が形成される。そして、この撮像素子で形成された像データは、ＣＰＵ２０からの指令によって、画像処理回路で画像処理され、メモリ１８に記録されたり、ＬＣＤ画面２５に表示される。また、レリーズスイッチ２７や画像表示モード切換スイッチ２８の操作によって、カメラ全体のシーケンスが、内蔵のプログラムによって制御され、撮像素子１６の出力からピント合わせ制御等が行われる。
【００１９】
つまり、所定の空間周波数成分が取出されて、そのコントラストがピント判定部１９で判定される。そして、このピント判定部１９の出力が用いられて、ＣＰＵ２０によってレンズドライバ２３を介して撮影レンズ１５が制御されることにより、ピント合わせが行われる。
【００２０】
また、撮影時には、表示用のＬＣＤ画面２５に画像表示するために、ＬＣＤドライバ２４がＣＰＵ２０により制御される。特に、この発明の特徴である合焦位置確認機能を作動させる際には、ＣＰＵ２０によって、画像処理回路１７を介して撮像素子１６の特定の部分のみが選択され、ＬＣＤドライバ２４が制御されて、選択された部分が切出されて表示されるようになっている。
【００２１】
また、露出が不足している場合には、ストロボ発光部２６が発光されて光が補われるような制御が、ＣＰＵ２０によって行われる。
【００２２】
上記撮像素子１６は、図２に示されるように、３つのピント検出エリア１６ａ、１６ｂ、１６ｃを有するものとする。尚、ここでは、ピント検出エリアを３つとして説明するが、これらの検出エリア数は、中央１点を含む５つでも７つでもよいものである。そして、例えば、上述した３つのピント検出エリア１６ａ、１６ｂ、１６ｃは、図１に示されるシーン１０の３つのポイント１０Ｌ、１０Ｃ、１０Ｒに相当する。
【００２３】
次に、図３を参照して、このような構成のカメラ３０をユーザが扱っている状態について説明する。
【００２４】
図３（ａ）に示されるように、カメラ３０の背面部（同図では上側）には、表示手段としてのＬＣＤ画面２５が設けられている。そして、カメラ３０の上面部には、レリーズスイッチ２７や画像表示モード切換スイッチ２８等が設けられている。これらの各種スイッチの操作に応じて、図３には示されないＣＰＵは、ＬＣＤ３０の表示を切換えるように制御している。
【００２５】
したがって、ユーザ３１は、ＬＣＤ画面２５を見ながらピントや構図が正しいか否かを判定することができる。これによって、図１に示されるようなシーンに於いて、被写体（人物１１ａ）が画面範囲１０の中央に存在しなくとも、ピント検出が可能となる。
【００２６】
ところが、単に被写体が構図内に入っているのをＬＣＤで確認できるだけでは、本来ピントを合わせるつもりでなかった背景等にピントが合ってしまい、肝心の主被写体にピントが合わないという現象が生じることがあった。そのような場合、実際に撮影された画像は、図８（ｂ）に示されるように、見にくいものとなってしまう。
【００２７】
したがって、この発明のカメラに於いては、図３（ｂ）に示されるように、ＬＣＤ画面２５は、メイン画面２５ａとサブ画面２５ｂに分割されて設けられている。例えば、図１に示される画面内の３つのポイント１０Ｌ、１０Ｃ、１０Ｒのように、画面内の３つのポイントに対してピントを調べ、何れかのポイントに存在する被写体にピントを合わせることができる仕様が想定されている。
【００２８】
ここで、選択されたポイントの画像は、サブ画面２５ｂに表示される。一方、メイン画面２５ａは、撮影される画像の全てが表示される。図３（ａ）に示されるように、ユーザ３１は、ＬＣＤ画面２５内のサブ画面にて、カメラが自動的に選択したピント合わせポイントを確認することができる。
【００２９】
また、画像表示モード切換スイッチ２８の操作によって、サブ画面をメイン画面に切換えて大きく表示したり、サブ画面２５ｂに全画面を表示するようにしても良い。更には、図３（ｃ）に示されるように、第２のサブ画面２５ｃを設けて、この第２のサブ画面２５ｃにピント合わせの次の候補を表示させるようにしても良い。但し、この場合は、ピント合わせ後の判定に用いるのが効果的である。
【００３０】
このようにすれば、メイン画面２５ａにはピント合わせポイントを表す余計な枠等の表示が必要なく、すっきりとした画面となり、撮影画面を正しくモニタすることができる。
【００３１】
次に、図４のフローチャートを参照して、本実施の形態に於けるカメラの制御動作について説明する。
【００３２】
先ず、ステップＳ１にて、レリーズスイッチ２７の操作のタイミングで、メイン画面２５ａに撮影される部位が表示される。このとき、撮影レンズ１５はパンフォーカス位置に於いて、どの被写体も、そこそこのピントでモニタ上に見えるような位置となっている。
【００３３】
次いで、ステップＳ２にて、撮影レンズ１５が、例えば無限遠（∞）の位置にて初期化される。そして、ステップＳ３〜Ｓ５にて、図２に示される３つのエリア１６ａ、１６ｂ、１６ｃに於ける所定周波数成分のコントラストが判定されながら、撮影レンズ１５が移動される。
【００３４】
すなわち、ステップＳ６に於いて、撮影レンズ１５の位置が判定される。その結果、撮影レンズ１５が終端位置まで達していなければ、ステップＳ７に移行してその位置が移動される。その後、ステップＳ３へ移行する。
【００３５】
一方、ステップＳ６にて、撮影レンズ１５が終端位置まで達したならば、ステップＳ８にて、各エリア１６ａ〜１６ｃに於いて、どのレンズ位置（ピント位置）で撮影すれば最もピントがぴったり合うかが検出される。しかし、全てのエリアは、各々異なるレンズ位置でピント合わせが良好となるので、ステップＳ９にて、この中から最も近距離に於いて、ピント良好を示すエリアが選択される。これが、第１のピント合わせ候補とされる。
【００３６】
こうして、続くステップＳ１０にて、図１に示されるポイント１０Ｌ、１０Ｃ、１０Ｒの中から、選択されたポイント（図２に示されるエリア１６ａ、１６ｂ、１６ｃの何れかのエリアに相当）付近の映像が、サブ画面に表示される。このステップ以降は、図３（ｂ）のサブ画面２５ｂに、ピント合わせされる領域の画像が表示される。
【００３７】
ところで、上述したステップＳ３〜Ｓ７にて、先にレンズスキャンしたときに、各ポイントのコントラストとレンズ位置の関係が求められているので、ステップＳ１１にて、選択ポイントのコントラストデータが最も高くなるレンズ位置にピントが合わせられ、続くステップＳ１２にて撮像が行われる。このとき、メイン画面２５ａ、サブ画面２５ｂそれぞれに、再度、ピント合わせ後の全画像及び選択部画像が表示される。
【００３８】
次いで、ステップＳ１３では、画像が圧縮されてメモリ１８に記憶される。そして、ステップＳ１４にて、画像表示モード切換スイッチ２８が操作されたか否かが判定される。その結果、画像表示モード切換スイッチ２８が操作されたならば、ステップＳ１５に移行して、メイン画面２５ａに上記選択画像が表示される。
【００３９】
すなわち、メイン画面２５ａに、今までサブ画面２５ｂに表示されていたものが表示される。これにより、ユーザは、よりピントが確認しやすくなる。このとき、サブ画面２５ｂに全画像を縮小表示したり、選択されなかった他のポイントの表示を第２のサブ画面２５ｃに表示させるようにしても良い。これによって、ユーザは、主被写体にピントが合っているか、他のポイントがどうなっているかを確認することができる。
【００４０】
一方、ステップＳ１４に於いて、画像表示モード切換スイッチ２８が操作されなかった場合は、ステップＳ１６に移行して、再撮影が行われたか否かが判定される。すなわち、レリーズスイッチ２７の状態が判定される。ここで、レリーズスイッチ２７が押されて再撮影が行われる場合はステップＳ１７に移行し、再撮影が行われない場合は本ルーチンを抜ける。
【００４１】
ステップＳ１７では先の撮影で使用された画像データがクリアされ、続くステップＳ１８ではメイン画面２５ａに全画像が表示される。そして、ステップＳ１９では、次の候補ポイントにピントが合わされて再度撮影が行われるようにされる。その後、上記ステップＳ１０に移行する。
【００４２】
以上説明したように、第１の実施の形態によれば、ユーザは、簡単に自分が狙った主被写体のピントを確認しながら、安心して写真撮影を楽しむことができる。また、メイン画面には、画像以外の余計な表示がなく、サブ画面を一瞥するだけで、カメラが正しくピント合わせをしているかを否かを判断することができる。
【００４３】
このように、第１の実施の形態によれば、正しくピントや構図、または被写体の表情等を判定しながらの撮影が可能なカメラを提供することができる。
【００４４】
尚、このフローチャートは、説明を単純にするために、一度撮影してみて正しく撮影が行われていなければ、再度撮影し直せば良いという考え方による仕様となっている。しかしながら、これに限られずに、レリーズスイッチ２７の半押しでモニタ確認、全押しで撮影終了という仕様にしても良い。
【００４５】
次に、この発明の第２の実施の形態を説明する。
【００４６】
この第２の実施の形態は、上述した第１の実施の形態のような撮像素子を用いたピント合わせだけでなく、２つの受光レンズを介してセンサアレイで得た像信号の視差による位置差ｘを用いて測距を行う、いわゆる外光式三角測距方式を併用したものである。
【００４７】
図５は、この発明の第２の実施の形態に係るカメラの内部の電気的構成を示した図である。
【００４８】
図５（ａ）に於いて、主被写体１１から距離Ｌだけ離れた位置に一対の受光レンズ３５ａ及び３５ｂが、互いに間隔Ｂだけ離間して配置されている。そして、これらの受光レンズ３５ａ及び３５ｂから距離ｆだけ離れた位置に、センサアレイ３６ａ及び３６ｂが配置されている。そして、これらセンサアレイ３６ａ及び３６ｂの出力は、Ａ／Ｄ変換部３７を介してＣＰＵ２０に供給される。
【００４９】
上記以外の構成については、レリーズスイッチ２７がファーストレリーズスイッチ２７ａ及びセカンドレリーズスイッチ２７ｂに置換わっている以外、図１の構成と同じであるので、説明は省略する。
【００５０】
上記センサアレイ３６ａ及び３６ｂのデータは、Ａ／Ｄ変換部３７によってデジタル信号化される。ＣＰＵ２０では、これらの２つのデジタル像データの比較によって、上述した位置差ｘが求められ、Ｌ＝Ｂ・ｆ／ｘの関係式より被写体距離Ｌが算出される。ここで、上述したように、Ｂは受光レンズの主点間距離であり、ｆは受光レンズとセンサアレイ間の距離である。
【００５１】
このような測距装置で得られた距離に対して、ＣＰＵ２０では、レンズドライバ２３を介して撮影レンズ１５のピント合わせを行うが、暗いシーンの撮影時には撮影レンズ１５の明るさや撮像素子１６の明るさに基いて、ストロボ発光部２６の光量制御も行う。また、ファーストレリーズスイッチ２７ａ、セカンドレリーズスイッチ２７ｂやＬＣＤ画面２５の表示等の制御や動作に関しては、上述した第１の実施の形態に準ずるものである。
【００５２】
尚、画面範囲１０内で、上述した三角測距用のセンサアレイがモニタする範囲４０は、図５（ｂ）に示されるようになっている。したがって、このセンサアレイのエリア４１Ｌ、４１Ｃ、４１Ｒの何れのエリアを用いるかによって、画面内３点の測距ができる。これは、用いるエリアの分割のしかたによって、５点や７点でも可能である。
【００５３】
図６は、こうした構成のカメラの前面から見た外観斜視図である。
【００５４】
カメラ３０の前面部の略中央部には撮影レンズ１５が設けられており、この撮影レンズ１５の上方に受光レンズ３５ａ及び３５ｂが配置されている。更に、これら受光レンズ３５ａ及び３５ｂに並設してストロボ発光部２６が設けられている。
【００５５】
また、カメラ３０の上面部には、ファーストレリーズスイッチ２７ａ、セカンドレリーズスイッチ２７ｂから成るレリーズスイッチ２７と、画像表示モード切換スイッチ２８が設けられている。
【００５６】
図７は、この発明の第２の実施の形態に従ったカメラのピント判定及び撮影の動作を説明するフローチャートである。
【００５７】
尚、この第２の実施の形態では、上述したようにレリーズスイッチを２段構成とし、１段目にファーストレリーズスイッチ２７ａがオンして表示制御を行い、２段目でセカンドレリーズスイッチ２７ｂがオンして撮影がなされるものとする。
【００５８】
また、表示時の撮像素子の信号は特に記録は必要ないので、圧縮等は行わず、いわゆるスルーモードでのデータの扱いとなる。一方、撮像時は、記録用に圧縮等が必要であり、画像処理回路１７が撮像素子の出力を加工してメモリ１８に記録する。
【００５９】
ステップＳ２１では、上述したように、三角測距装置で画面内の３ポイント（図５（ｂ）に示されるポイント４１Ｌ、４１Ｃ、４１Ｒ）の距離が測距され、各測距結果がＬL 、ＬC 、ＬR として提出される。次いで、ステップＳ２２では、上記ステップＳ２１で得られた測距結果の中から、最も近い距離が選択される。この選択されたものが主被写体距離とされ、この距離が出力されたポイントが主被写体ポイントとされる。
【００６０】
これは、一般に、最も近い距離に存在する被写体が主被写体であることが多いからであり、必ずしもこの近距離方式で選択する必要はない。像信号や輪郭検出によって、より高精度の選択ができることは言うまでもないが、ここでは説明を容易にするために、近距離選択方式を用いて説明する。
【００６１】
こうして得られた選択部を、図３（ｂ）に示されるようにサブ画面２５ｂに表示するため、ステップＳ２３にて表示、及びステップＳ２４にて表示が行われる。このステップＳ２４では、メイン画像は全画面として表示される。
【００６２】
次いで、ステップＳ２５に於いて、画像表示モード切換スイッチ２８の状態が検出される。ここで、画像表示モード切換スイッチ２８が操作されると、ステップＳ２６へ移行し、操作されなければステップＳ２８へ移行する。
【００６３】
ステップＳ２６では、サブ画面２５ｂに表示されていた選択部の画像に対して、ピント合わせや撮像が行われる。これにより、正確なピントのチェックが可能となる。続いて、ステップＳ２７にて、サブ画面２５ｂに表示されていた選択部の画像が、図３（ｃ）に示されるようにメイン画面２５ａに切換えられて拡大表示される。
【００６４】
そして、ステップＳ２８にて、撮影が可能か否か、すなわち、レリーズスイッチを押込むか否かが判定される。ここで、撮影が可能であれば、ステップＳ２９へ移行して、選択部のみのコントラストを重視したより詳細なピント合わせ制御が行われる。一方、撮影が可能でない場合は、本ルーチンを抜ける。
【００６５】
ステップＳ２９では選択部の画像のコントラストが設定され、続くステップＳ３０では撮影レンズ１５が駆動される。更に、ステップＳ３１では、上記ステップＳ２９及びＳ３０により得られたコントラスト値がピークであるか否かが検出される。ここでは、ピーク値が検出されるまで上記ステップＳ２９〜Ｓ３１が繰返される。
【００６６】
そして、ピーク値が検出されると、ステップＳ３２に移行して、その位置に撮影レンズ位置が設定されるように制御される。その後、ステップＳ３３で撮像が行われると、本ルーチンが終了する。
【００６７】
以上説明したように、この第２の実施の形態によれば、レンズスキャンのない三角測距の結果によって、ピント合わせポイントを高速で選択し、選択位置を撮像してサブ画面に表示するので、高速のピント判断が可能となり、より迅速な撮影が可能となる。ユーザはメイン画面にて、すっきりと全体の構図をチェックしながら、サブ画面で選択ポイントの様子を見て、より高度な撮影を楽しむことができる。また、このために、サブ画面の方を拡大表示する等の仕様を追加することも容易である。
【００６８】
尚、この発明の上記実施の形態によれば、以下の如き構成を得ることができる。
【００６９】
すなわち、
（１）  撮影画面内の複数のポイントを測距する測距手段と、撮影レンズを介して上記撮影画面の画像をデジタル的に表示するための撮像手段と、表示手段と、上記測距手段の出力と、上記撮像手段の出力に基いて上記撮影レンズの一部を制御して、被写体にピントを合わせるピント合わせ手段と、を有するカメラに於いて、
上記表示手段上に上記測距手段の出力によってピント合わせ用に選択されたポイントに相当するデジタル画像を表示する制御手段を具備することを特徴とするカメラ。
【００７０】
（２）  上記ピント合わせ手段は、上記表示後の撮影操作によって上記撮像手段の出力が最も適正となる位置に上記撮影レンズを制御することを特徴とする上記（１）に記載のカメラ。
【００７１】
【発明の効果】
以上のようにこの発明によれば、種々の距離の被写体が混在する画面でも、正しく、主要被写体にピント合わせができるカメラを提供することができる。また、ピント合わせをする対象をユーザにわかりやすく認知させ、すっきりした画面で被写体を正しく確認可能なカメラを提供することができる。
【図面の簡単な説明】
【図１】この発明の第１の実施の形態に係るカメラの内部の電気的構成を示すブロック図である。
【図２】図１の撮像素子１６のピント検出エリアの例を示した図である。
【図３】図１の構成のカメラをユーザが扱っている状態について説明する図である。
【図４】第１の実施の形態に於けるカメラの制御動作について説明するフローチャートである。
【図５】この発明の第２の実施の形態に係るカメラの内部の電気的構成を示した図である。
【図６】図５のカメラの前面から見た外観斜視図である。
【図７】この発明の第２の実施の形態に従ったカメラのピント判定及び撮影の動作を説明するフローチャートである。
【図８】従来のカメラのオートフォーカス技術について説明する図である。
【符号の説明】
１０  シーン（画面範囲）、
１０Ｌ、１０Ｃ、１０Ｒ  ポイント、
１１ａ  人物（主被写体）、
１５  撮影レンズ、
１６  撮像素子、
１６ａ、１６ｂ、１６ｃ  ピント検出エリア、
１７  画像処理回路、
１８  メモリ、
１９  ピント判定部、
２０  ＣＰＵ、
２３  レンズドライバ（ＬＤ）、
２４  ＬＣＤドライバ、
２５  ＬＣＤ画面、
２５ａ  メイン画面、
２５ｂ、２５ｃ  サブ画面、
２６  ストロボ発光部、
２７  レリーズスイッチ、
２８  画像表示モード切換スイッチ、
３０  カメラ、
３１  ユーザ。
【図１】
0004197865.tif 000002
【図２】
0004197865.tif 000003
【図３】
0004197865.tif 000004
【図４】
0004197865.tif 000005
【図５】
0004197865.tif 000006
【図６】
0004197865.tif 000007
【図７】
0004197865.tif 000008
【図８】
0004197865.tif 000009